【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
フレーム内符号化処理で符号化された圧縮フレーム画像情報群を、フレーム間予測符号化処理とフレーム内符号化処理とを併用して符号化された圧縮動画情報に変換する映像信号処理装置であって、
前記圧縮フレーム画像情報群の各圧縮フレーム画像情報をフレーム画像情報に復号する復号手段と、
前記各圧縮フレーム画像情報に付帯された付帯情報を抽出する付帯情報抽出手段と、
前記付帯情報に基づき、前記フレーム画像情報に前記フレーム間予測符号化処理を適用するか否かを判定する動き予測処理適用判定手段と、
前記動き予測処理適用判定手段の出力に基づき前記フレーム間予測符号化処理と前記フレーム内符号化処理とを選択して前記フレーム画像情報を符号化し、前記圧縮動画情報を生成する圧縮動画生成手段とを備えたことを特徴とする映像信号処理装置。
【請求項２】
前記動き予測処理適用判定手段は、前記付帯情報に基づきフレーム画像間における動きを検出する動き検出処理の実行可否を決定し、かつ前記動き検出処理により動きが検出された場合に、前記フレーム間予測符号化処理を選択する信号を前記圧縮動画生成手段に出力することを特徴とする請求項１記載の映像信号処理装置。
【請求項３】
前記付帯情報と前記動き予測処理適用判定手段の判定結果との少なくとも一方に基づき、各フレーム画像情報の直後に挿入するフレーム数を決定する挿入フレーム決定手段を備え、
前記圧縮動画生成手段は、各フレーム画像情報の直後に、当該各フレーム画像情報と同一のフレーム画像情報を、前記挿入フレーム決定手段により決定されたフレーム数だけ挿することを特徴とする請求項１または２記載の映像信号処理装置。
【請求項４】
前記圧縮フレーム画像情報は、ＪＰＥＧフォーマット又はＪＰＥＧ２０００フォーマットのフレーム内符号化処理により圧縮された静止画像情報であり、
前記圧縮動画情報は、ＭＰＥＧフォーマットにより圧縮された動画像情報であることを特徴とする請求項１ないし３のいずれか記載の映像信号処理装置。
【請求項５】
前記付帯情報は、少なくとも撮影日時情報、または撮影方向情報を含むことを特徴とする請求項１ないし４のいずれか記載の映像信号処理装置。
【請求項６】
フレーム内符号化処理で符号化された圧縮フレーム画像情報群を、フレーム間予測符号化処理とフレーム内符号化処理とを併用して符号化された圧縮動画情報に変換する映像信号処理方法であって、
前記圧縮フレーム画像情報群の各圧縮フレーム画像情報をフレーム画像情報に復号するステップと、
前記各圧縮フレーム画像情報に付帯された付帯情報を抽出するステップと、
前記付帯情報に基づき、前記フレーム画像情報に前記フレーム間予測符号化処理を適用するか否かを判定するステップと、
前記フレーム間予測符号化処理を適用しないフレーム画像情報と判定された場合には、前記フレーム内符号化処理で前記フレーム画像情報を符号化して前記圧縮動画情報を生成するステップとを有することを特徴とする映像信号処理方法。
【手続補正２】
【補正対象書類名】明細書
【補正対象項目名】発明の名称
【補正方法】変更
【補正の内容】
【発明の名称】映像信号処理装置、及びその映像信号処理方法
【手続補正３】
【補正対象書類名】明細書
【補正対象項目名】０００１
【補正方法】変更
【補正の内容】
【０００１】
本発明は、例えばデジタルカメラ、デジタルビデオカメラ、監視カメラの画像を管理する装置、コンピュータ内等に備えられる映像信号処理装置、及びその映像信号処理方法に係り、詳しくは、フレーム内符号化処理で符号化された圧縮フレーム画像情報群を、フレーム間予測符号化処理とフレーム内符号化処理とを併用して符号化された圧縮動画情報に変換する映像信号処理装置、及びその映像信号処理方法に関する。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
そこで本発明は、動き予測処理を適用し得るフレーム間の判定を効率的にすることが可能な映像信号処理装置、及びその映像信号処理方法を提供することを目的とするものである。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
上記課題を解決するため、本発明は、フレーム内符号化処理で符号化された圧縮フレーム画像情報群を、フレーム間予測符号化処理とフレーム内符号化処理とを併用して符号化された圧縮動画情報に変換する映像信号処理装置であって、
前記圧縮フレーム画像情報群の各圧縮フレーム画像情報をフレーム画像情報に復号する復号手段と、
前記各圧縮フレーム画像情報に付帯された付帯情報を抽出する付帯情報抽出手段と、
前記付帯情報に基づき、前記フレーム画像情報に前記フレーム間予測符号化処理を適用するか否かを判定する動き予測処理適用判定手段と、
前記動き予測処理適用判定手段の出力に基づき前記フレーム間予測符号化処理と前記フレーム内符号化処理とを選択して前記フレーム画像情報を符号化し、前記圧縮動画情報を生成する圧縮動画生成手段とを備えたことを特徴とする。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
また、本発明は、フレーム内符号化処理で符号化された圧縮フレーム画像情報群を、フレーム間予測符号化処理とフレーム内符号化処理とを併用して符号化された圧縮動画情報に変換する映像信号処理方法であって、
前記圧縮フレーム画像情報群の各圧縮フレーム画像情報をフレーム画像情報に復号するステップと、
前記各圧縮フレーム画像情報に付帯された付帯情報を抽出するステップと、
前記付帯情報に基づき、前記フレーム画像情報に前記フレーム間予測符号化処理を適用するか否かを判定するステップと、
前記フレーム間予測符号化処理を適用しないフレーム画像情報と判定された場合には、前記フレーム内符号化処理で前記フレーム画像情報を符号化して前記圧縮動画情報を生成するステップとを有することを特徴とする。
【手続補正１６】
【補正対象書類名】明細書
【補正対象項目名】００２０
【補正方法】変更
【補正の内容】
【００２０】
本発明によると、圧縮フレーム画像情報の付帯情報に基づき、フレーム間予測符号化処理を適用するフレームとしないフレームを判定し、それに基づきフレーム間予測符号化処理とフレーム内符号化処理とを選択してフレーム画像情報を符号化し、圧縮動画情報に生成するので、圧縮フレーム画像情報群の信号内容を精査することなくフレーム間予測符号化処理の適用判定ができ、即ち全てのフレーム画像情報に対して動き検出処理を行うことなく、必要なフレーム画像情報に対してだけフレーム間予測符号化処理を適用することができて、効率的にフレーム画像情報を圧縮動画情報に変換する処理を行うことができる。
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】